(57)【要約】【課題】情報端末装置において、近接センサ、加速度センサ、及びカメラセンサを使用することで、セキュリティ設定した情報の開示方法を改善すること。【解決手段】使用者がＥ−ｍａｉｌ、写真、動画等（以下、画像情報）へのアクセスを行うと、近接センサ部８を起動して、情報端末装置１と使用者との間の距離情報を得てタイミングを判定する。この判定を通れば、ＣＰＵ２は、カメラ制御部７とカメラセンサ部１０とを起動して使用者を撮像させ、撮像した情報を予め保持する登録情報と照合することで、使用者の判別を行い、画像情報の開示、非開示を決定する。また、ＣＰＵ２は、画像情報の開示、または、非開示中に、使用者が変わったことを、近接センサ部８からの距離情報の変化を基にして判別することで、特別な操作をすることなく、使用者への画像情報の開示、非開示を再決定する。【選択図】図１
2013150190.tif 000002
【特許請求の範囲】
【請求項１】
予め登録されている登録情報に対して使用者がアクセス操作を行うことにより起動されて、該使用者と本装置との間の距離を測定する近接センサ手段と、
前記距離が所定の条件を満たすか否かを判定する距離情報判定手段と、
前記距離が所定の条件を満たす時に起動されて、前記使用者の所定の部位を撮影する撮影手段と、
前記撮影手段が撮影した撮影情報に基づいて前記使用者を認識し、かつ特定する認識手段と、
前記特定された前記使用者が、登録済の使用者か否かを判定する使用者登録判定手段と、
前記使用者登録判定手段の判定結果に応じて前記登録情報の開示の方法を決定する機能制限手段と
を備える情報端末装置。
【請求項２】
前記予め登録されている登録情報は、画像情報である
請求項１に記載の情報端末装置。
【請求項３】
前記使用者の前記所定の部位は、前記使用者の顔である
請求項１又は２に記載の情報端末装置。
【請求項４】
予め登録されている登録情報に対して使用者がアクセス操作を行うことにより起動されて、該使用者と本装置との間の距離の変化を測定する近接センサ手段と、
前記距離の変化が所定の条件を満たすか否かを判定する距離情報判定手段と、
前記距離の変化が所定の条件を満たす時に起動されて、前記使用者の所定の部位を撮影する撮影手段と、
前記撮影手段が撮影した撮影情報に基づいて前記使用者を認識し、かつ特定する認識手段と、
前記特定された前記使用者が、登録済の使用者か否かを判定する使用者登録判定手段と、
前記使用者登録判定手段の判定結果に応じて前記登録情報の開示の方法を決定する機能制限手段と
を備える情報端末装置。
【請求項５】
前記予め登録されている登録情報は、画像情報である
請求項４に記載の情報端末装置。
【請求項６】
前記使用者の前記所定の部位は、前記使用者の顔である
請求項４又は５に記載の情報端末装置。
【請求項７】
予め登録されている登録情報に対して使用者がアクセス操作を行うことにより起動される近接センサ手段と、
本装置に加えられる加速度が所定の大きさに達した時に起動中の近接センサ手段による前記使用者と本装置との間の距離の測定を開始させる加速度センサ手段と、
前記距離が所定の条件を満たすか否かを判定する距離情報判定手段と、
前記距離が所定の条件を満たす時に起動されて、前記使用者の所定の部位を撮影する撮影手段と、
前記撮影手段が撮影した撮影情報に基づいて前記使用者を認識し、かつ特定する認識手段と、
前記特定された前記使用者が、登録済の使用者か否かを判定する使用者登録判定手段と、
前記使用者登録判定手段の判定結果に応じて前記登録情報の開示の方法を決定する機能制限手段と
を備える情報端末装置。
【請求項８】
前記予め登録されている登録情報は、画像情報である
請求項７に記載の情報端末装置。
【請求項９】
情報端末装置に予め登録されている登録情報に対して使用者がアクセス操作を行うことにより起用されて、該使用者と本装置との間の距離情報を採取する距離情報採取ステップと、
前記距離情報が所定の条件を満たすか否かを判定する距離情報判定ステップと、
前記距離情報が所定の条件を満たす時に起動されて、前記使用者の所定の部位を撮影する撮影ステップと、
前記撮影ステップにより撮影された撮影情報に基づいて前記使用者を認識し、かつ特定する認識ステップと、
前記特定された前記使用者が、登録済の使用者か否かを判定する使用者登録判定ステップと、
前記使用者登録判定ステップでの判定結果に応じて前記登録情報の開示の方法を決定する機能制限ステップと
を有するセキュリティ確保方法。
【請求項１０】
情報のセキュリティ確保方法を情報端末装置に実行させるためのコンピュータプログラムであって、
前記情報端末装置に予め登録されている登録情報に対して使用者がアクセス操作を行うことにより開始されて、該使用者と本装置との間の距離情報を採取する距離情報採取ステップと、
前記距離情報が所定の条件を満たすか否かを判定する距離情報判定ステップと、
前記距離情報が所定の条件を満たす時に起動されて、前記使用者の所定の部位を撮影する撮影ステップと、
前記撮影ステップにより撮影された撮影情報に基づいて前記使用者を認識し、かつ特定する認識ステップと、
前記特定された前記使用者が、登録済の使用者か否かを判定する使用者登録判定ステップと、
前記使用者登録判定ステップでの判定結果に応じて前記登録情報の開示の方法を決定する機能制限ステップと
を有するコンピュータプログラム。
【発明の詳細な説明】
【技術分野】
【０００１】
本発明は情報端末装置、セキュリティ確保方法、及びコンピュータプログラムに係る。特に、近接センサ、加速度センサ、及びカメラセンサを有する情報端末装置において、セキュリティを確保しながら情報を開示することができる情報端末装置、セキュリティ確保方法、及びコンピュータプログラムに関する。
【背景技術】
【０００２】
近年、情報端末装置として、携帯電話機、ＰＨＳ（Ｐｅｒｓｏｎａｌ  Ｈａｎｄｙ−ｐｈｏｎｅ  Ｓｙｓｔｅｍ）等が開発され、使用者に提供されている。これらの情報端末装置に保存された画像情報には、他人に開示しても良い情報と開示したくない情報とが混在している。使用者側としては、情報端末装置に保存された画像情報を容易に取得できると共に、そのセキュリティを確保したいという要求が有る。また、セキュリティを確保するに際して特殊な操作をすることなく、例えば、画像情報の開示と非開示の状態切り替えを、セキュリティレベルを変更するだけで、保存された画像情報の指定したレベルでのセキュリティも確保されるようにしたいという要求が有る。
【０００３】
この分野の公知技術として、例えば特許文献１には、暗証番号の入力等の煩雑な作業を行うことなく、電子機器を操作する使用者が意識しない状態で使用者を識別して使用可能な機能を制御することができる電子機器を開示している。この電子機器は、顔を撮影可能な部位に設けられた撮像手段と、顔認識に使用される顔認識基準データを記憶する顔認識基準データ記憶手段と、機能の制御に用いる機能制御情報を記憶する制御情報記憶手段と、操作を検知する操作検知手段と、制御手段とを備える。制御手段は、電子機器の操作が検知されたときに、電子機器の使用者の顔を撮影し、その顔の画像データと顔認識基準データとの比較結果に基づいて使用者を識別し、その識別結果と機能制御情報とに基づいて使用者が使用可能な機能を制御することを開示している。
【０００４】
また、例えば特許文献２には、テレビ電話モードでのハンズフリー通話において、特別の距離センサを必要とせずに、携帯端末装置と送話者間の距離、及び左右上下位置が最適な位置となるように、送話者自身が調整する仕組みを持つ携帯端末装置を開示している。具体的には、マイクとスピーカによるハンズフリー通話状態において、音響構造上の送話者の適正な３次元（ＸＹＺ方向）の送話者適性位置Ｐが存在するものとし、この送話者適性位置Ｐはカメラの視角範囲内の特定部位であるとする。従って、カメラの自画像のどの部分が送話者適性位置Ｐ相当かを予め実験などで確認して、その自画像の大きさや位置データを携帯端末内部の送話者適性位置記憶メモリに記憶しておく。そして、カメラの自画像データが送話者適性位置Ｐから外れた場合に、自画像を外れた方向へ強調補正して自画像表示エリアに表示する。送話者はそれを見て、適正に表示されるように位置を調整することができることを開示している。
【０００５】
また、例えば特許文献３には、第三者の不正使用に対するセキュリティ性の向上とユーザに対する操作性の維持が可能な携帯端末装置を開示している。この携帯端末装置は、第一の筐体に設けられ、開状態を構成する場合に露出して入力を受け付ける第一の入力受付手段と、第二の筐体に設けられ、開状態を構成する場合に露出して点灯する第一の表示手段とを備える。更に、この携帯端末装置は、第一の筐体または第二の筐体に設けられ、閉状態を構成する場合に露出して入力を受け付ける第二の入力受付手段を備える。更に、この携帯端末装置は、第一の入力受付手段または第二の入力受付手段より入力を受け付けた指示に基づき、第一の表示手段を点灯不可状態に制御する点灯ロック手段を備える。更に、この携帯端末装置は、点灯ロック手段により第一の表示手段が点灯不可状態に制御された場合、第二の入力受付手段より入力を受け付けたロック解除指示に基づき、第一の表示手段を点灯可能状態に制御するロック解除手段とを備える。
【０００６】
また、例えば特許文献４には、特別な操作をしなくても操作者を認証するための画像の照合ができる携帯端末装置を開示している。具体的には、筐体のスライド又は回動による携帯端末の開閉を検出する手段を備え、開状態を検出することによって、携帯端末の撮像手段を起動し、操作者の顔その他の認証のための画像情報を取得して表示部に表示する。また、照合用画像情報を記憶しており、取得した画像情報と照合し、所定の一致条件を満たした場合に操作者に携帯端末の所定の機能の操作を許容することを開示している。
【０００７】
更に、例えば特許文献５には、機能制限における確実性を向上させた携帯電子機器を開示している。この携帯電子機器は、ユーザによる入力操作が行われると共にパスワードを入力可能な操作部と、ユーザとの距離である離間距離を測定する測距部と、所定機能に対して制限を行う機能制限部と備える。そして、この携帯電子機器は、機能制限部により所定機能に対して制限が行われている状態において、操作部に対してパスワード入力が行われて、測距部により測定された離間距離が所定範囲内である場合、機能制限部による所定機能に対する制限を解除する。
【先行技術文献】
【特許文献】
【０００８】
【特許文献１】特開２００７−０６７７８２号公報
【特許文献２】特開２００８−０６０７３４号公報
【特許文献３】特開２００９−２６８０３４号公報
【特許文献４】特開２０１０−２４６１３２号公報
【特許文献５】特開２０１１−２１１４２７号公報
【発明の概要】
【発明が解決しようとする課題】
【０００９】
ところで、上記の情報端末装置にあっては、例えば、特許文献４に開示の技術の場合、情報端末装置の筺体の形状変化を契機として、カメラにより撮像した使用者情報を予め保持する使用者情報と照合することで、使用可能な機能を制限したり解除したりする。しかしながら、このような公知技術では、情報端末装置の筺体の形状変化を使用者照合の条件としているため、キャンディーバータイプ（ストレートタイプ）の端末では使用者を照合する手段を有していないという問題点が有った。また、筺体の形状の変化が検知された後に使用者が変わった場合において、再度、使用可能な機能を制限したり解除したりすることできないという問題点も有った。
【００１０】
本発明の目的は、上述した課題を解決する情報端末装置、セキュリティ確保方法、及びコンピュータプログラムを提供することにある。
【課題を解決するための手段】
【００１１】
上記課題を解決するために、本発明に係る情報端末装置は、予め登録されている登録情報に対して使用者がアクセス操作を行うことにより起動されて、該使用者と本装置との間の距離を測定する近接センサ手段と、距離が所定の条件を満たすか否かを判定する距離情報判定手段と、距離が所定の条件を満たす時に起動されて、使用者の所定の部位を撮影する撮影手段と、撮影手段が撮影した撮影情報に基づいて使用者を認識し、かつ特定する認識手段と、特定された使用者が、登録済の使用者か否かを判定する使用者登録判定手段と、使用者登録判定手段の判定結果に応じて登録情報の開示の方法を決定する機能制限手段とを備える。
【００１２】
また、本発明に係る情報端末装置は、予め登録されている登録情報に対して使用者がアクセス操作を行うことにより起動されて、該使用者と本装置との間の距離の変化を測定する近接センサ手段と、距離の変化が所定の条件を満たすか否かを判定する距離情報判定手段と、距離の変化が所定の条件を満たす時に起動されて、使用者の所定の部位を撮影する撮影手段と、撮影手段が撮影した撮影情報に基づいて使用者を認識し、かつ特定する認識手段と、特定された使用者が、登録済の使用者か否かを判定する使用者登録判定手段と、使用者登録判定手段の判定結果に応じて登録情報の開示の方法を決定する機能制限手段とを備える。
【００１３】
更に、本発明に係る情報端末装置は、予め登録されている登録情報に対して使用者がアクセス操作を行うことにより起動される近接センサ手段と、本装置に加えられる加速度が所定の大きさに達した時に起動中の近接センサ手段による使用者と本装置との間の距離の測定を開始させる加速度センサ手段と、距離が所定の条件を満たすか否かを判定する距離情報判定手段と、距離が所定の条件を満たす時に起動されて、使用者の所定の部位を撮影する撮影手段と、撮影手段が撮影した撮影情報に基づいて使用者を認識し、かつ特定する認識手段と、特定された使用者が、登録済の使用者か否かを判定する使用者登録判定手段と、使用者登録判定手段の判定結果に応じて登録情報の開示の方法を決定する機能制限手段とを備える。
【００１４】
また、本発明に係る情報のセキュリティ確保方法は、情報端末装置に予め登録されている登録情報に対して使用者がアクセス操作を行うことにより起用されて、該使用者と本装置との間の距離情報を採取する距離情報採取ステップと、距離情報が所定の条件を満たすか否かを判定する距離情報判定ステップと、距離情報が所定の条件を満たす時に起動されて、使用者の所定の部位を撮影する撮影ステップと、撮影ステップにより撮影された撮影情報に基づいて使用者を認識し、かつ特定する認識ステップと、特定された使用者が、登録済の使用者か否かを判定する使用者登録判定ステップと、使用者登録判定ステップでの判定結果に応じて登録情報の開示の方法を決定する機能制限ステップとを有する。
【００１５】
更に、本発明に係るコンピュータプログラムは、情報のセキュリティ確保方法を情報端末装置に実行させるためのコンピュータプログラムであって、情報端末装置に予め登録されている登録情報に対して使用者がアクセス操作を行うことにより開始されて、該使用者と本装置との間の距離情報を採取する距離情報採取ステップと、距離情報が所定の条件を満たすか否かを判定する距離情報判定ステップと、距離情報が所定の条件を満たす時に起動されて、使用者の所定の部位を撮影する撮影ステップと、撮影ステップにより撮影された撮影情報に基づいて使用者を認識し、かつ特定する認識ステップと、特定された使用者が、登録済の使用者か否かを判定する使用者登録判定ステップと、使用者登録判定ステップでの判定結果に応じて登録情報の開示の方法を決定する機能制限ステップとを有する。
【発明の効果】
【００１６】
以上説明したように、本発明の情報端末装置によれば、セキュリティ設定した情報の開示方法を改善し、使用者に使用者の認証等に要する操作負担を掛けることなく、セキュリティ設定した情報を適切な方法で開示することができる。
【図面の簡単な説明】
【００１７】
【図１】本発明の第１の実施形態に係る情報端末装置の回路構成の要部を示す構成図である。
【図２】本発明の第１の実施形態に係る情報端末装置１の画像情報の１例を示す説明図である。
【図３】本発明の第１の実施形態に係る情報端末装置１において、近接物との距離を測定する際の様子を示す説明図である。
【図４】本発明の第１の実施形態に係る情報端末装置１がセキュリティ設定された情報を開示する際に行う処理の動作手順を示すフローチャート図である。
【図５】本発明の実施形態に係る情報端末装置における使用者３１を対象とする使用者判別処理の際の動作手順を示したフローチャート図である。
【図６】使用者が画像情報にアクセスした場合に表示される画面情報を１例として示す説明図であり、図６（ａ）は機能制限が解除された使用者（即ち登録者）が閲覧可能な画面情報、図６（ｂ）は機能制限実施対象の使用者（即ち非登録者）が閲覧可能な画面情報を、それぞれ示すものである。
【図７】本発明の第２の実施形態に係る情報端末装置１Ａがセキュリティ設定された情報を開示する際に行う処理の動作手順を示すフローチャート図である。
【図８】本発明の第２の実施形態に係る情報端末装置１Ａにおいて、使用者３１が予め設定された適正距離の範囲内から範囲外へ移動する際の様子を示す説明図である。
【図９】本発明の第３の実施形態に係る情報端末装置の回路構成の要部を示す構成図である。
【図１０】本発明の第３の実施形態に係る情報端末装置１Ｂがセキュリティ設定された情報を開示する際に行う処理の動作手順を示すフローチャート図である。
【発明を実施するための形態】
【００１８】
本発明は、近接センサ、加速度センサ、及びカメラセンサを有する情報端末装置において、セキュリティ設定した情報の開示方法を改善し、使用者の認証等に要する操作負担を掛けることなく、セキュリティ設定した情報を適切な方法で開示するものである。以下、本発明の情報端末装置及び情報のセキュリティ確保方法並びにコンピュータプログラムの実施形態について、実施形態１，２，３の順に、図面を参照して詳細に説明する。なお、各実施形態の説明では、本発明に係る情報端末装置及び情報のセキュリティ確保方法について詳述する。本発明に係るコンピュータプログラムについては、情報端末装置に含まれる各構成要素として実現するためのプログラムであることから、プログラムに関する説明は以下の説明に含まれる。
【００１９】
図１は、本発明の第１の実施形態に係る情報端末装置の回路構成の要部を示す構成図である。本実施形態の情報端末装置１は、主要な構成要素として、ＣＰＵ（中央処理装置）２、Ｆｌａｓｈ−ＲＯＭ３、ＲＡＭ４、表示制御部５、入力検出部６、カメラ制御部７、近接センサ部８、タッチパネル型表示装置９、及びカメラセンサ部１０を具備する。情報端末装置１は、具体的には、例えば、携帯電話機、ＰＨＳ（Ｐｅｒｓｏｎａｌ  Ｈａｎｄｙ−ｐｈｏｎｅ  Ｓｙｓｔｅｍ）等の情報端末装置であって良い。
【００２０】
以下、本実施形態の情報端末装置１の各構成要素の機能を説明する。ＣＰＵ２はバスを介して装置内の各部と接続されている。Ｆｌａｓｈ−ＲＯＭ３は、ＣＰＵ２が実行するための各種の制御用プログラムやユーザ・データ（登録された画像ファイルデータ）などを格納した書き換え可能なストレージ・メモリである。ＲＡＭ（ランダム・アクセス・メモリ）は、ＣＰＵ２がプログラムを実行する上で一時的に必要とされるデータ（例えば撮影直後の画像データ）を格納するようになっている。タッチパネル型表示装置９は、液晶パネルや有機ＥＬなどの表示装置と、静電型タッチパネルなどの操作者による接触入力を受け付ける入力装置により構成されており、表示制御部５と入力検出部６の双方に接続されている。本実施形態では、表示装置をタッチパネル型表示装置９としているが、この他に、キー操作を行って情報を入力する（タッチパネル型ではない）入力装置等を用いても良い。
【００２１】
カメラセンサ部１０は、ＣＣＤイメージセンサや、ＣＭＯＳセンサ等の撮像素子のことであり、対象物の写真や動画を撮像する回路である。カメラ制御部７は、カメラセンサ部１０が撮像した情報を画像データに変換する回路や、カメラセンサ部１０のフォーカスなどを制御する回路である。近接センサ部８は、近接物と自己との間の距離を計測したり、近接物と自己との間の距離が変化したことしたことを検知して割り込みとして発生させる距離検出手段として動作する。
【００２２】
以下、図１を参照しながら、本実施形態の情報端末装置１の使用時の機能について説明する。使用者がＥ−ｍａｉｌ、写真、動画等（以下、画像情報）へのアクセスを行うと、ＣＰＵ２は、近接センサ部８を起動して、情報端末装置１と使用者との間の距離情報を得る。また、この距離情報に基づいてタイミングを判定し、この判定にパスすれば、ＣＰＵ２は、カメラ制御部７とカメラセンサ部１０とを起動する。そして、ＣＰＵ２は、カメラセンサ部１０において、使用者を撮像させ、撮像した情報を予め保持する登録情報と照合することで、使用者の判別を行い、画像情報の開示、非開示を決定する。この機能が本実施形態に係る情報端末装置１の特徴的な機能である。また、ＣＰＵ２は、画像情報の開示、または、非開示中に、使用者が変わったことを、近接センサ部８からの距離情報の変化を基にして判別することで、特別な操作をすることなく、使用者への画像情報の開示、非開示を再決定する機能を有している。この機能も本発明の情報端末装置１の特徴的な機能である。
【００２３】
図２は、本発明の第１の実施形態に係る情報端末装置１の画像情報の１例を示す説明図である。但し、図２の説明は以下の説明に含める。また、図３は、本発明の第１の実施形態に係る情報端末装置１において、近接物との距離を測定する際の様子を示す説明図である。但し、図３の説明も以下の説明に含める。更に、図４は、本発明の第１の実施形態に係る情報端末装置１がセキュリティ設定された情報を開示する際に行う処理の動作手順を示すフローチャート図である。以下、図１〜３を参照しながら、図４に示すフローチャートを使用して、本実施形態に係る情報端末装置１がセキュリティ設定された情報を開示する際に行う処理の動作手順を説明する。
【００２４】
まず、ステップＳ１１では、使用者３１（図３）が、タッチパネル型表示装置９に表示される画像情報２１，２２，２３（図２）のいずれかにアクセスすると、情報端末装置１の入力検出部６は、このアクセスがなされたことを検出する。次に、ステップＳ１２では、情報端末装置１は、その前面に配置された近接センサ部８を起動し、起動された近接センサ部８は、情報端末装置１と近接物との間の距離を測定する。図３はその様子を示したものであり、この場合の近接物は使用者３１であり、矢印３２の長さは、情報端末装置１の近接センサ部８が検知する距離（即ち、情報端末装置１と使用者３１との間の距離）を示している。
【００２５】
次に、ステップＳ１３では、ＣＰＵ２が、情報端末装置１と近接物である使用者３１との間の距離が予め設定された範囲内に位置する場合、情報端末装置１は使用者３１との間の距離が適正距離にある、と判定してステップＳ１４に進む。また、近接物である使用者３１との間の距離が予め設定された範囲外である場合は不適正距離と判定してステップＳ１５に移る。ステップＳ１４では、ＣＰＵ２は、近接物が適正距離にあると判定した場合の処理として、「使用者判別処理サブルーチン」（後述の図５のフローチャートで示す）を使用して、近接物である使用者３１を特定する判別処理を行う。ステップＳ１５では、ＣＰＵ２は、近接物が適正距離にないと判断した場合の処理として、使用者設定を非登録者とする処理を行う。
【００２６】
ステップＳ１６では、ＣＰＵ２は、使用者登録の判定処理を行い、使用者設定が登録者の場合は、ステップＳ１７に進む。また、使用者設定が非登録者の場合は、ステップＳ１８に移る。ステップＳ１７では、ＣＰＵ２は、機能制限を解除する処理を行って、その後、ステップＳ１９に進む。また同様に、ステップＳ１８では、ＣＰＵ２は、機能制限を実施する処理を行って、その後、ステップＳ１９に進む。ステップＳ１９では、ＣＰＵ２は、使用者３１による画像情報２１，２２，２３（図２）のいずれかへの上記アクセスが終了した否かを検証し、使用者３１による上記アクセスが終了している場合は、処理を終了する。また、使用者３１による上記アクセスが終了していない場合は、ステップＳ１１に戻って、上記の処理を繰り返す。
【００２７】
なお、前述の機能制限解除の実施、または前述の機能制限の実施、の対象となる対象情報については、例えば写真フォルダなど、グループ毎の画像情報に対して行っても良いし、グループ内で保持されている個々の画像情報に対して行っても良い。図６は、使用者が画像情報にアクセスした場合に表示される画面情報を１例として示す説明図である。図６（ａ）は機能制限が解除された使用者（即ち登録者）が閲覧可能な画面情報、図６（ｂ）は機能制限実施対象の使用者（即ち非登録者）が閲覧可能な画面情報を、それぞれ示すものである。ここでは、図６に示すグループ内の個々の写真（Ｐｈｏｔｏ１〜３）が、機能制限の解除または機能制限実施の対象となる画像情報である。各画像情報には予め、「開示可」または「開示不可」の、いずれかのセキュリティ設定を行うものとし、ＣＰＵ２は、使用者設定が登録者と判定した場合は、開示可とした写真４１、写真４３、及び、開示不可とした写真４２を全て表示する処理を行う。また、使用者設定が非登録者と判定した場合は、開示可とした写真４１、写真４３は表示するが、開示不可とした写真４２は表示しないという処理を行う。
【００２８】
図５は、本発明の実施形態に係る情報端末装置における使用者３１を対象とする使用者判別処理の際の動作手順を示したフローチャート図である。まず、ステップＳ２１では、ＣＰＵ２は、情報端末装置１の前面に配置したカメラセンサ部１０、及び、カメラ制御部７を起動する。これにより、カメラセンサ部１０は、使用者３１の写真を撮影し、この撮影情報を、カメラ制御部７に送出する。カメラ制御部７では、送られた撮像情報を画像データに変換し、変換後の画像データをＲＡＭ４に送出して記憶させる（この送出はＣＰＵ２を経由しても良い）。次に、ステップＳ２２では、ＣＰＵ２は、ＲＡＭ４に記憶された画像データに基づいて、使用者３１の特徴抽出を行って、使用者３１の特徴データを抽出する。
【００２９】
次に、ステップＳ２３では、ＣＰＵ２は、Ｆｌａｓｈ−ＲＯＭ３等に予め保持する使用者の登録情報と、画像データから抽出した特徴データとを照合することで、使用者３１について、使用者登録が有るか、それとも無いかを判別する。使用者３１について、使用者登録が有る場合はステップＳ２４に進み、使用者登録が無い場合はステップＳ２５に移る。ステップＳ２４では、ＣＰＵ２は、使用者登録が有る場合の処理として、使用者３１の使用者設定を登録者に設定し、呼び出し元（ステップＳ１４）に復帰する。これにより、呼び出し元のステップＳ１４では、制御の流れをステップＳ１６に進める。ステップＳ２５では、ＣＰＵ２は、使用者登録が無い場合の処理として、使用者３１の使用者設定を非登録者に設定し、呼び出し元（ステップＳ１４）に復帰する。これにより、呼び出し元のステップＳ１４では、制御の流れをステップＳ１６に進める。
【００３０】
第１の実施形態に係る情報端末装置１によれば、使用者３１が情報端末装置１の画像情報にアクセスしたときに、近接センサ部８を使用して情報端末装置１と使用者３１との間の適正な距離を判別して撮影するので、使用者３１の画像認識を適正に行うことができる。また、近接センサ部により、使用者との適正距離の範囲を設定し、使用者３１が範囲内に有るか否かを判別して撮影する。これによって、使用者３１が登録された使用者であり、カメラ画像の一部に写る場合であっても、使用者３１が操作できない遠い距離に位置する場合などにおいては画像情報を非開示にできる。
【００３１】
また、近接センサ部８を使用して使用者３１との距離を判別し、使用者３１との距離が適正な場合に限って、カメラ制御部７及びカメラセンサ部１０を起動するので、カメラ制御部７及びカメラセンサ部１０の省電力化が実現できる。更に、使用者が急遽変わった時にも、特別な操作をすることなく、画像情報へのアクセスに対する機能制限を確実に設定したり、解除したりできる。その理由は、使用者３１との適正距離の判断処理及び使用者３１の認証処理を、画像情報へのアクセス検出だけで判断して行っており、情報端末装置１の筺体の形状変化など（即ちハードウェアの状態変化）では判断していないからである。
【００３２】
本発明の第２の実施形態に係る情報端末装置（図示は省略するが、便宜上、符号を１Ａとする）の構成は、第１の実施形態に係る情報端末装置１の構成と同じであるが、ＣＰＵ２の処理内容は、本発明の第１の実施形態に係る情報端末装置１とは異なるものである。本発明の第１の実施形態に係る情報端末装置１は、使用者が画像情報にアクセスしたことを検知した場合に、セキュリティ設定された情報の所定の手続きによる開示を行うものであった。これに対し、第２の実施形態に係る情報端末装置１Ａは、情報端末装置１Ａに保存された画像情報を表示中（使用者３１が画像情報にアクセス中）に、情報端末装置１Ａと使用者３１との間の距離の変化により発生する近接センサ部８からの割り込みを使用する。これにより、ＣＰＵ２は、セキュリティ設定された情報の、所定の手続きに基づく開示を行う。
【００３３】
図７は、本発明の第２の実施形態に係る情報端末装置１Ａがセキュリティ設定された情報を開示する際に行う処理の動作手順を示すフローチャート図である。また、図８は、本発明の第２の実施形態に係る情報端末装置１Ａにおいて、使用者３１が予め設定された適正距離の範囲内から範囲外へ移動する際の様子を示す説明図である。但し、図８の説明は以下の説明に含める。以下、図１〜３，８を参照しながら、図７に示すフローチャートを使用して、本実施形態に係る情報端末装置１Ａがセキュリティ設定された情報を開示する際に行う処理の動作手順を説明する。
【００３４】
まず、ステップＳ３１では、使用者３１は、情報端末装置１Ａに保存された画像情報にアクセス中、つまり画像情報を表示中であり、近接センサ部８は作動中であり、情報端末装置１Ａと使用者３１との距離を計測しているものとする。次に、ステップＳ３２では、使用者３１が情報端末装置１Ａから、予め設定された適正距離の範囲内から範囲外に出た場合、あるいは逆に、予め設定された適正距離の範囲外から範囲内に入った場合、近接センサ部８は、ＣＰＵ２に対して割り込みを発生する。この様子は図８で示す。図８は、使用者３１が予め設定された適正距離の範囲内から範囲外へ移動５３で示す移動を行った様子を示している。
【００３５】
次に、ステップＳ３３では、ＣＰＵ２は、近接センサ部８からの情報により、割り込み要因を検証する。より具体的には、ＣＰＵ２は、使用者３１が予め設定された適正距離の範囲外から範囲内に入ったことが割り込み要因であった場合は適正範囲の距離と判定してステップＳ３４に進む。また、使用者３１が予め設定された適正距離の範囲内から範囲外に出たことが割り込み要因であった場合は、不適正範囲の距離と判定してステップＳ３５に移る。ここでは、図８において、情報端末装置１Ａの近接センサ部８と使用者３１との間の距離である最小適正距離５１から最大適正距離５２が、適正範囲内の距離であり、それ以外は適正範囲外の距離であるものとしている。
【００３６】
ステップＳ３４では、ＣＰＵ２は、近接物が適正距離にあると判定した場合の処理として、「使用者判別処理サブルーチン」（図５のフローチャートで示す）を使用して、近接物である使用者３１を特定する判別処理を行う。ステップＳ３５では、ＣＰＵ２は、近接物が適正距離にないと判断した場合の処理として、使用者設定を非登録者とする処理を行う。
【００３７】
ステップＳ３６では、ＣＰＵ２は、使用者登録の判定処理を行い、使用者設定が登録者の場合は、ステップＳ３７に進む。また、使用者設定が非登録者の場合は、ステップＳ３８に移る。ステップＳ３７では、ＣＰＵ２は、機能制限を解除する処理を行って、その後、ステップＳ３９に進む。また同様に、ステップＳ３８では、ＣＰＵ２は、機能制限を実施する処理を行って、その後、ステップＳ３９に進む。ステップＳ３９では、ＣＰＵ２は、使用者３１による画像情報２１，２２，２３（図２）のいずれかへの上記アクセスが終了した否かを検証し、使用者３１による上記アクセスが終了している場合は、処理を終了する。また、使用者３１による上記アクセスが終了していない場合は、ステップＳ３２に戻って、上記の処理を繰り返す。
【００３８】
なお、前述の機能制限、又は機能制限解除の実施の対象となる対象情報については、第１の実施形態と同様に、例えば写真フォルダなど、グループ毎の画像情報に対して行っても良いし、グループ内で保持されている個々の画像情報に対して行っても良い。ここでは、例えば、図６に示すグループ内の個々の写真（Ｐｈｏｔｏ１〜３）が、機能制限の解除または機能制限実施の対象となる画像情報とする。各画像情報には予め、「開示可」または「開示不可」の、いずれかのセキュリティ設定を行うものとし、ＣＰＵ２は、使用者設定が登録者と判定した場合は、開示可とした写真４１、写真４３、及び、開示不可とした写真４２を全て表示する処理を行う。また、使用者設定が非登録者と判定した場合は、開示可とした写真４１、写真４３は表示するが、開示不可とした写真４２は表示しないという処理を行う。
【００３９】
第２の実施形態に係る情報端末装置１Ａによれば、情報端末装置１Ａの画像情報にアクセス中であっても、情報端末装置１Ａと近接物との間の距離が適正距離内で変化したか、それとも適正距離外へと変化したかを、近接センサ部８からの割り込みにより検知できる。これによって、使用者は、特別な操作を行うことなく、セキュリティ設定された情報の、所定の手続きに基づく開示を実施させることができる。
【００４０】
図９は、本発明の第３の実施形態に係る情報端末装置の回路構成の要部を示す構成図である。本実施形態に係る情報端末装置１Ｂの構成は、本発明の第１の実施形態に係る情報端末装置１の構成に加速度センサ部６１を追加したものとなるが、ＣＰＵ２の処理内容も、本発明の第１の実施形態に係る情報端末装置１とは異なるものである（後述する）。加速度センサ部６１は、３軸加速度センサなどで構成され、情報端末装置１Ｂに加わる３軸方向の加速度を検出する装置である。また、ＣＰＵ２は、第１の実施形態に係るＣＰＵ２の機能に対して、画像情報を開示する機能、及び非開示中に使用者が変わったことを加速度センサ部６１からの加速度値の変化と近接センサ部８からの距離情報とを基にして判別する機能を有する。
【００４１】
本発明の第３の実施形態に係る情報端末装置１Ｂは、前述の機能を追加したことにより、使用者が特別な操作をしなくても、ＣＰＵ２は、セキュリティ設定された情報の、所定の手続きに基づく開示を行う。以下、この点についてより具体的に説明する。第２の実施形態に係る情報端末装置１Ａでは、画像情報にアクセス中に、情報端末装置１Ａと使用者３１との間の距離の変化により発生する近接センサ部８からの割り込みを使用してセキュリティ設定された情報の、所定の手続きに基づく開示を行った。これに対し、第３の実施形態に係る情報端末装置１Ｂでは、加速度センサ部６１が検出する加速度の値が、予め設定された加速度の値を超えた場合に発生する割り込みを使用して、セキュリティ設定された情報の、所定の手続きに基づく開示を行うものである。
【００４２】
図１０は、本発明の第３の実施形態に係る情報端末装置１Ｂがセキュリティ設定された情報を開示する際に行う処理の動作手順を示すフローチャート図である。以下、図２，３，９を参照しながら、図１０に示すフローチャートを使用して、本実施形態に係る情報端末装置１Ｂがセキュリティ設定された情報を開示する際に行う処理の動作手順を説明する。まず、ステップＳ４１では、使用者３１は、情報端末装置１Ｂに保存された画像情報にアクセス中、つまり画像情報を表示中であり、近接センサ部８は作動中であり、情報端末装置１と使用者３１との距離を計測している。また、加速度センサ部６１も稼働している。次に、ステップＳ４２では、使用者３１が画像情報にアクセス中に、情報端末装置１Ｂに対して加速度が加えられ、かつ加速度の値が予め設定された加速度の値を超えた場合、加速度センサ部６１はＣＰＵ２に対して割り込みを発生する。
【００４３】
次に、ステップＳ４３では、ＣＰＵ２は、情報端末装置１Ｂの前面に配置された近接センサ部８を介して、近接センサ部８と近接物との間の距離を測定する。ステップＳ４５では、ＣＰＵ２は、近接物が適正距離にあると判定した場合の処理として、「使用者判別処理サブルーチン」（前述の図５のフローチャートで示す）を使用して、近接物である使用者３１を特定する判別処理を行う。ステップＳ４６では、ＣＰＵ２は、近接物が適正距離にないと判断した場合の処理として、使用者設定を非登録者とする処理を行う。
【００４４】
ステップＳ４７では、ＣＰＵ２は、使用者登録の判定処理を行い、使用者設定が登録者の場合は、ステップＳ４８に進む。また、使用者設定が非登録者の場合は、ステップＳ４９に移る。ステップＳ４８では、ＣＰＵ２は、機能制限を解除する処理を行って、その後、ステップＳ５０に進む。ステップＳ４９では、ＣＰＵ２は、機能制限を実施する処理を行って、その後、ステップＳ５０に進む。ステップＳ５０では、ＣＰＵ２は、使用者３１による画像情報２１，２２，２３（図２）のいずれかへの上記アクセスが終了した否かを検証し、使用者３１による上記アクセスが終了している場合は、処理を終了する。また、使用者３１による上記アクセスが終了していない場合は、ステップＳ４２に戻って、上記の処理を繰り返す。
【００４５】
なお、前述の機能制限解除の実施、または前述の機能制限の実施、の対象となる対象情報については、例えば写真フォルダなど、グループ毎の画像情報に対して行っても良いし、グループ内で保持されている個々の画像情報に対して行っても良い。ここでは、例えば、図６に示すグループ内の個々の写真（Ｐｈｏｔｏ１〜３）が、機能制限の解除または機能制限実施の対象となる画像情報である。各画像情報には予め、「開示可」または「開示不可」の、いずれかのセキュリティ設定を行うものとし、ＣＰＵ２は、使用者設定が登録者と判定した場合は、開示可とした写真４１、写真４３、及び、開示不可とした写真４２を全て表示する処理を行う。また、使用者設定が非登録者と判定した場合は、開示可とした写真４１、写真４３は表示するが、開示不可とした写真４２は表示しないという処理を行う。
【００４６】
このように、情報端末装置１Ｂは、情報端末装置１Ｂに保持された画像情報にアクセス中に、別の使用者によって情報端末装置１Ｂを急に奪われても、加速度センサ部６１からの加速度情報を使用して割り込みを発生させた後、近接センサ部８を使用する。これによって、使用者は、特別な操作をすることなく、セキュリティ設定された情報の、所定の手続きに基づく開示を受けることができる。
【００４７】
なお、本発明に係る情報端末装置の各構成要素の処理の少なくとも一部をコンピュータ制御により実行するものとする。また、上記処理を、図４，５，７，１０の各フローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【００４８】
上記の実施形態の一部、又は全部は、以下の付記のようにも記載され得るが、以下には限られない。
【００４９】
（付記１）予め登録されている登録情報に対して使用者がアクセス操作を行うことにより起動されて、該使用者と本装置との間の距離を測定する近接センサ手段と、前記距離が所定の条件を満たすか否かを判定する距離情報判定手段と、前記距離が所定の条件を満たす時に起動されて、前記使用者の所定の部位を撮影する撮影手段と、前記撮影手段が撮影した撮影情報に基づいて前記使用者を認識し、かつ特定する認識手段と、前記特定された前記使用者が、登録済の使用者か否かを判定する使用者登録判定手段と、前記使用者登録判定手段の判定結果に応じて前記登録情報の開示の方法を決定する機能制限手段とを備える情報端末装置。
【００５０】
（付記２）前記予め登録されている登録情報は、画像情報である付記１に記載の情報端末装置。
【００５１】
（付記３）前記使用者の前記所定の部位は、前記使用者の顔である付記１又は２に記載の情報端末装置。
【００５２】
（付記４）予め登録されている登録情報に対して使用者がアクセス操作を行うことにより起動されて、該使用者と本装置との間の距離の変化を測定する近接センサ手段と、前記距離の変化が所定の条件を満たすか否かを判定する距離情報判定手段と、前記距離の変化が所定の条件を満たす時に起動されて、前記使用者の所定の部位を撮影する撮影手段と、前記撮影手段が撮影した撮影情報に基づいて前記使用者を認識し、かつ特定する認識手段と、前記特定された前記使用者が、登録済の使用者か否かを判定する使用者登録判定手段と、前記使用者登録判定手段の判定結果に応じて前記登録情報の開示の方法を決定する機能制限手段とを備える情報端末装置。
【００５３】
（付記５）前記予め登録されている登録情報は、画像情報である付記４に記載の情報端末装置。
【００５４】
（付記６）前記使用者の前記所定の部位は、前記使用者の顔である付記４又は５に記載の情報端末装置。
【００５５】
（付記７）予め登録されている登録情報に対して使用者がアクセス操作を行うことにより起動される近接センサ手段と、本装置に加えられる加速度が所定の大きさに達した時に起動中の近接センサ手段による前記使用者と本装置との間の距離の測定を開始させる加速度センサ手段と、前記距離が所定の条件を満たすか否かを判定する距離情報判定手段と、前記距離が所定の条件を満たす時に起動されて、前記使用者の所定の部位を撮影する撮影手段と、前記撮影手段が撮影した撮影情報に基づいて前記使用者を認識し、かつ特定する認識手段と、前記特定された前記使用者が、登録済の使用者か否かを判定する使用者登録判定手段と、前記使用者登録判定手段の判定結果に応じて前記登録情報の開示の方法を決定する機能制限手段とを備える情報端末装置。
【００５６】
（付記８）前記予め登録されている登録情報は、画像情報である付記７に記載の情報端末装置。
【００５７】
（付記９）前記使用者の前記所定の部位は、前記使用者の顔である付記７又は８に記載の情報端末装置。
【００５８】
（付記１０）情報端末装置に予め登録されている登録情報に対して使用者がアクセス操作を行うことにより起用されて、該使用者と本装置との間の距離情報を採取する距離情報採取ステップと、前記距離情報が所定の条件を満たすか否かを判定する距離情報判定ステップと、前記距離情報が所定の条件を満たす時に起動されて、前記使用者の所定の部位を撮影する撮影ステップと、前記撮影ステップにより撮影された撮影情報に基づいて前記使用者を認識し、かつ特定する認識ステップと、前記特定された前記使用者が、登録済の使用者か否かを判定する使用者登録判定ステップと、前記使用者登録判定ステップでの判定結果に応じて前記登録情報の開示の方法を決定する機能制限ステップとを有するセキュリティ確保方法。
【００５９】
（付記１１）情報のセキュリティ確保方法を情報端末装置に実行させるためのコンピュータプログラムであって、前記情報端末装置に予め登録されている登録情報に対して使用者がアクセス操作を行うことにより開始されて、該使用者と本装置との間の距離情報を採取する距離情報採取ステップと、前記距離情報が所定の条件を満たすか否かを判定する距離情報判定ステップと、前記距離情報が所定の条件を満たす時に起動されて、前記使用者の所定の部位を撮影する撮影ステップと、前記撮影ステップにより撮影された撮影情報に基づいて前記使用者を認識し、かつ特定する認識ステップと、前記特定された前記使用者が、登録済の使用者か否かを判定する使用者登録判定ステップと、前記使用者登録判定ステップでの判定結果に応じて前記登録情報の開示の方法を決定する機能制限ステップとを有するコンピュータプログラム。
【符号の説明】
【００６０】
１  情報端末装置
２  ＣＰＵ（中央処理装置）
３  Ｆｌａｓｈ−ＲＯＭ
４  ＲＡＭ
５  表示制御部
６  入力検出部
７  カメラ制御部
８  近接センサ部
９  タッチパネル型表示装置
１０  カメラセンサ部
３１  使用者
６１  加速度センサ部
１Ａ  情報端末装置
１Ｂ  情報端末装置
【図１】
2013150190.tif 000003
【図２】
2013150190.tif 000004
【図３】
2013150190.tif 000005
【図４】
2013150190.tif 000006
【図５】
2013150190.tif 000007
【図６】
2013150190.tif 000008
【図７】
2013150190.tif 000009
【図８】
2013150190.tif 000010
【図９】
2013150190.tif 000011
【図１０】
2013150190.tif 000012